(57)【要約】【課題】  機器にケーブルが接続されていないときに電源をオフする方法は、ケーブルが機器に接続されているときには、内部回路の電源供給を容易に停止することはできない。【解決手段】  モニタ２のモニタサブユニットは電源オン、モニタ３のモニタサブユニットも電源オンの状態から、モニタ３のリモコン操作で、モニタ３のモニタサブユニットが電源オフとされたものとする(主電源は入っているが、モニタ３の電源は落ちている状態)。この場合、システムコントローラ８は、パワーコマンドに対するモニタ３の応答により、モニタ３の電源がオフになっていることを検知するはずであり、モニタ３の電源がオフになっていることを検知すると、直ちに電源ユニット１２を制御し、電源ユニット１２からサブピクチャデコーダ（ＤＥＣ）１９、ＤＡ変換器２３及びビデオエンコーダ（ＥＮＣ）２６への電源の供給を停止する。これにより、消費電力を低減できる。【選択図】            図１
2005259186.tif 000002
【特許請求の範囲】
【請求項１】
第１の情報に関する第１の符号化信号を入力として受け、前記第１の情報の復号信号を得る第１の復号手段と、
前記第１の情報の補助データに関する第２の符号化信号を入力として受け、前記補助データの復号信号を得る第２の復号手段と、
前記第１の復号手段から出力された前記第１の情報の復号信号を外部の第１の機器へ第１の再生信号として出力する第１の出力手段と、
前記第２の復号手段から出力された前記補助データの復号信号を外部の第２の機器へ第２の再生信号として出力する第２の出力手段と、
前記第１の機器及び第２の機器と接続されており、前記第１の機器及び第２の機器の電源オフを監視する電源オフ監視手段と、
前記電源オフ監視手段により、前記第１の機器及び第２の機器の少なくとも一方の機器の電源オフが検出されたときに、前記電源オフが検出された機器の入力側に接続されている、前記第１の復号手段及び前記第１の出力手段の動作、又は前記第２の復号手段及び前記第２の出力手段の動作を停止させる動作停止手段と
を有することを特徴とする再生装置。
【請求項２】
前記動作停止手段は、前記第１の復号手段及び前記第１の出力手段、又は前記第２の復号手段及び前記第２の出力手段への電源供給の停止、前記第１の復号手段及び前記第１の出力手段、又は前記第２の復号手段及び前記第２の出力手段の演算処理の停止、若しくは前記第１の復号手段及び前記第１の出力手段、又は前記第２の復号手段及び前記第２の出力手段へのクロック入力の停止により動作停止させる手段であることを特徴とする請求項１記載の再生装置。
【発明の詳細な説明】
【技術分野】
【０００１】
本発明は再生装置に係り、特に符号化された映像データとその補助データを別々に再生して複数の外部表示装置へ出力して別々に表示させる再生装置に関する。
【背景技術】
【０００２】
再生装置などの電子機器では、消費電力削減が求められる。この消費電力削減方法の一つとして、電子機器にケーブルが接続されていないときには電源をオフとする方法が従来より知られている(例えば、特許文献１参照)。
【０００３】
この特許文献１には、印字部の電源をオフするのに加え、プリンタコントローラの消費電力を低減するプリンタ装置であって、ＰＣとプリンタ装置とのケーブル接続を行うネットワークの米国電子電気技術者協会（ＩＥＥＥ)規格のＩＥＥＥ１３９４インタフェースから供給される電源をコントローラが監視し、ケーブルが未接続の場合にコントローラの電源がオフとなり、コントローラＩ／Ｆより供給された電源によりＰＨＹへの電源と起動検出用の部分のみの電源を供給して、タイマーで省エネモードに移行し、消費電力を低減する構成が開示されている。
【０００４】
【特許文献１】特開２００２−１５４２５３号公報
【発明の開示】
【発明が解決しようとする課題】
【０００５】
しかるに、上記の従来の消費電力を低減する方法では、プリンタ装置に物理的にケーブルが接続されていないときに、電源オフを検出するようにしているため、ケーブルがプリンタ装置に物理的に接続されているときには、内部回路の電源供給を容易に停止することはできないという問題がある。
【０００６】
本発明は上記の点に鑑みなされたもので、ケーブルが接続されている場合でも、必要な場合に消費電力を低減し得る再生装置を提供することを目的とする。
【課題を解決するための手段】
【０００７】
本発明は上記の目的を達成するため、第１の情報に関する第１の符号化信号を入力として受け、第１の情報の復号信号を得る第１の復号手段と、第１の情報の補助データに関する第２の符号化信号を入力として受け、補助データの復号信号を得る第２の復号手段と、第１の復号手段から出力された第１の情報の復号信号を外部の第１の機器へ第１の再生信号として出力する第１の出力手段と、第２の復号手段から出力された補助データの復号信号を外部の第２の機器へ第２の再生信号として出力する第２の出力手段と、第１の機器及び第２の機器と接続されており、第１の機器及び第２の機器の電源オフを監視する電源オフ監視手段と、電源オフ監視手段により、第１の機器及び第２の機器の少なくとも一方の機器の電源オフが検出されたときに、電源オフが検出された機器の入力側に接続されている、第１の復号手段及び第１の出力手段の動作、又は第２の復号手段及び第２の出力手段の動作を停止させる動作停止手段とを有する構成としたものである。
【０００８】
この発明では、外部の第１及び第２の機器と再生装置とがケーブル接続されている状態において、電源オフ監視手段により第１及び第２の機器との間のコマンドのやり取りで第１及び第２の機器の電源オフを監視し、これにより第１及び第２の機器の少なくも一方の電源オフが検出されたときには、その電源オフが検出された機器は使用しないため、その電源オフが検出された機器の入力側に接続されている、第１の復号手段及び第１の出力手段の動作、又は第２の復号手段及び第２の出力手段の動作も停止させる。
【０００９】
ここで、上記の動作停止手段は、第１の復号手段及び第１の出力手段、又は第２の復号手段及び第２の出力手段への電源供給の停止、第１の復号手段及び第１の出力手段、又は第２の復号手段及び第２の出力手段の演算処理の停止、若しくは第１の復号手段及び第１の出力手段、又は第２の復号手段及び第２の出力手段へのクロック入力の停止により動作停止させる手段であることを特徴とする。
【００１０】
この発明では、動作停止を電源供給を停止することで実現するか、第１及び第２の復号手段と第１及び第２の出力手段をソフトウェアの演算処理で実現する場合はその演算処理を停止することで実現するか、クロック入力を停止することで実現する。
【発明の効果】
【００１１】
本発明によれば、外部の第１及び第２の機器と再生装置とがケーブル接続されている状態において、第１及び第２の機器との間で第１及び第２の機器の電源オフを監視し、電源オフが検出された機器の入力側に接続されている、第１の復号手段及び第１の出力手段の動作、又は第２の復号手段及び第２の出力手段の動作を停止させるようにしたため、ケーブルが接続されている状態でも消費電力を低減することができる。
【発明を実施するための最良の形態】
【００１２】
次に、本発明の実施の形態について、図面と共に説明する。図１は本発明になる再生装置の一実施の形態のブロック図を示す。同図において、再生装置の一例としてのＤＶＤ（Digital Versatile Disk）プレーヤ１が、モニタ２及び３にそれぞれ接続される一方、アンプ４を介してスピーカ５に接続されている。
【００１３】
また、モニタ２及び３とアンプ４はそれぞれ１３９４ケーブル６を介してＤＶＤプレーヤ１内のＩＥＥＥ１３９４コントローラ７に接続され、互いにコマンドを送受信できるようにされている。ＤＶＤプレーヤ１は、ＤＶＤから再生した主たる動画像をモニタ２に表示し、再生したサブピクチャ(主たる動画像に関するテキストデータなどの補助データ)をモニタ３に表示する。
【００１４】
ＤＶＤプレーヤ１は、上記の１３９４コントローラ７と、プレーヤ全体を統括的に制御するシステムコントローラ８と、ＤＶＤの記録情報を再生するＤＶＤフロントエンド９と、キー入力部１０と、表示デバイスＩ／Ｆ(インタフェース)回路１１と、電源ユニット１２と、ＤＶＤフロントエンド９から出力されたＭＰＥＧ２（Moving Picture Experts Group 2）−ＰＳ(Program Stream)から各種パック信号を分離するデマルチプレクサ１３と、各種のバッファ１４〜１７と、バッファ１４〜１６にそれぞれ対応して設けられたＤＡ変換器２２〜２４と、ＤＡ変換器２２、２３から出力されたアナログ信号を復号するエンコーダ２５及び２６などから構成されている。
【００１５】
キー２７により入力された再生指示その他の入力信号は、キー入力部１０を介してシステムコントローラ８に供給され、ＤＶＤフロントエンド９を再生動作させる。また、入力情報やＤＶＤプレーヤ１の制御情報などがシステムコントローラ８から表示デバイスＩ／Ｆ回路１１を介して表示デバイス２８に供給されて表示される。
【００１６】
電源ユニット１２は、ビデオデコーダ（ＤＥＣ）１８、サブピクチャデコーダ（ＤＥＣ）１９及びオーディオデコーダ（ＤＥＣ）２０にｐｏｗｅｒ  Ｖ，Ｓ，Ａで示すように電源を供給しており、また、ＤＡ変換器２２、２３及び２４と、ビデオエンコーダ（ＥＮＣ）２５及び２６にも電源を供給している。この電源ユニット１２は、システムコントローラ８により動作が制御される。
【００１７】
次に、本実施の形態の動作について説明する。ＤＶＤフロントエンド９により図示しないＤＶＤから公知の手段により光学的に再生されたＭＰＥＧ２−ＰＳは、デマルチプレクサ１３に供給され、ここで後述するビデオパック、サブピクチャパック、オーディオパック及びナビゲーションパックがそれぞれ分離される。
【００１８】
上記のＭＰＥＧ２−ＰＳには、図２（Ａ）に示すビデオ・オブジェクト・セットが含まれている。このビデオ・オブジェクト・セットは、図２（Ｂ）に示すように、複数のビデオオブジェクト（ＶＯＢ）からなり、一つのＶＯＢは同図（Ｃ）に示すように、複数のセル（Ｃｅｌｌ）からなる。
【００１９】
また、一つのセル（Ｃｅｌｌ）は、図２（Ｄ）に示すように、複数のビデオ・オブジェクト・ユニット（ＶＯＢＵ）からなり、更に一つのＶＯＢＵは同図（Ｅ）に示すように、先頭にナビゲーションパック（ＮＶ＿Ｐｃｋ：Navigation pack）が配置され、以下オーディオパック（Ａ＿Ｐｃｋ：Audio pack）と、ビデオパック（Ｖ＿Ｐｃｋ：Video pack）と、サブピクチャパック（ＳＰ＿Ｐｃｋ：Sub-picture pack）とが複数設けられた構成である。ナビゲーションパック（ＮＶ＿Ｐｃｋ）には、ＰＳＩ（Presentation Control Information）とＤＳＩ(Data Search Information)とが含まれている。
【００２０】
そこで、図１のデマルチプレクサ１３は、入力されるＭＰＥＧ２−ＰＳから、上記のビデオパック（Ｖ＿Ｐｃｋ）、サブピクチャパック（ＳＰ＿Ｐｃｋ）、オーディオパック（Ａ＿Ｐｃｋ）及びナビゲーションパック（ＮＶ＿Ｐｃｋ）をそれぞれそのパケットヘッダの情報に基づき分離して、ビデオパック（Ｖ＿Ｐｃｋ）はＶＢＶ（Video Buffering Verifier）バッファ１４に供給して一時記憶させた後ビデオデコーダ（ＤＥＣ）１８に供給し、サブピクチャパック（ＳＰ＿Ｐｃｋ）はサブピクチャバッファ１５に供給して一時記憶させた後サブピクチャデコーダ（ＤＥＣ）１９に供給する。
【００２１】
また、デマルチプレクサ１３は、分離したオーディオパック（Ａ＿Ｐｃｋ）はオーディオバッファ１６に供給して一時記憶させた後オーディオデコーダ（ＤＥＣ）２０に供給し、分離したナビゲーションパック（ＮＶ＿Ｐｃｋ）はＮＶバッファ１７に供給して一時記憶させた後ＮＶデコーダ（ＤＥＣ）２１に供給する。
【００２２】
上記のビデオパック（Ｖ＿Ｐｃｋ）は、図３（Ａ）に示すように、先頭から順に１４バイトのパックヘッダ３１と、可変長のパケットヘッダ３２が配置された後、可変長のビデオデータ３３が配置されたフォーマットであり、ビデオデコーダ（ＤＥＣ）１８はこのビデオデータ３３を復号する。なお、パケットヘッダ３２内のストリームＩＤは”MPEG Video”とされている。
【００２３】
また、上記のサブピクチャパック（ＳＰ＿Ｐｃｋ）は、図３（Ｂ）に示すように、先頭から順に１４バイトのパックヘッダ４１、可変長のパケットヘッダ４２、１バイトのサブストリームＩＤ４３が配置された後、可変長のサブピクチャデータ４４が配置されたフォーマットであり、サブピクチャデコーダ（ＤＥＣ）１９はこのサブピクチャデータ４４を復号する。なお、パケットヘッダ４２内のストリームＩＤは”Private Stream 1”であり、サブストリームＩＤ４３の値は、”００１＊＊＊＊＊”である。上記のサブピクチャデータ４４は、ビデオデータ３３の補助データであり、例えばビデオデータ３３の番組のあらすじ、出演者名、ニュースの日付等々である。
【００２４】
また、上記のオーディオパック（Ａ＿Ｐｃｋ）は図３（Ｃ）に示すように、ＭＰＥＧ方式で圧縮符号化されたものと、それ以外の方式で符号化されたものとがある。ＭＰＥＧ方式で圧縮符号化されたオーディオパック（Ａ＿Ｐｃｋ）は、先頭から順に１４バイトのパックヘッダ５１と、可変長のパケットヘッダ５２が配置された後、可変長のオーディオデータ５３が配置されたフォーマットであり、それ以外の方式で符号化されたオーディオパック（Ａ＿Ｐｃｋ）は、先頭から順に１４バイトのパックヘッダ６１、可変長のパケットヘッダ６２、１バイトのサブストリームＩＤ６３が配置された後、可変長のオーディオデータ及び他の情報からなるデータ６４が配置されたフォーマットである。
【００２５】
なお、パケットヘッダ５２内のストリームＩＤは”MPEG Audio"であり、パケットヘッダ６２内のストリームＩＤは”Private Stream 1”であり、サブストリームＩＤ６３の値は、オーディオフォーマットの種別に応じて”１０１００＊＊＊”又は”１００００＊＊＊”である。オーディオデコーダ（ＤＥＣ）２０は、このオーディオパック（Ａ＿Ｐｃｋ）内のオーディオデータ５３又は６４を復号する。
【００２６】
更に、上記のナビゲーションパック（ＮＶ＿Ｐｃｋ）は図３（Ｄ）に示すように、先頭から順に、１４バイトのパックヘッダ７１、２４バイトのシステムヘッダ７２、６バイトのパケットヘッダ７３、１バイトのサブストリームＩＤ７４、９７９バイトのＰＣＩデータ７５、６バイトのパケットヘッダ７６、１バイトのサブストリームＩＤ７７及び１０１７バイトのＤＣＩデータ７８が配置されたフォーマットである。
【００２７】
ここで、パケットヘッダ７３、７６内のストリームＩＤは”Private Stream 2"であり、サブストリームＩＤ７４の値は００（ｈｅｘ）、サブストリームＩＤ７７の値は０１（ｈｅｘ）である。ＮＶデコーダ（ＤＥＣ）２１は、このナビゲーションパック（ＮＶ＿Ｐｃｋ）のＰＣＩデータ７５やＤＣＩデータ７８を復号する。
【００２８】
再び図１に戻って説明するに、システムコントローラ８は、ＮＶデコーダ（ＤＥＣ）２１のＰＣＩデータ及びＤＣＩデータの復号信号に基づいて、再生表示制御やデータアクセス制御に利用する。また、システムコントローラ８は、ビデオデコーダ（ＤＥＣ）１８、サブピクチャデコーダ（ＤＥＣ）１９、オーディオデコーダ（ＤＥＣ）２０のデコーディングに関するパラメータ設定を行う。ビデオデコーダ（ＤＥＣ）１８とサブピクチャデコーダ（ＤＥＣ）１９で別々に復号して得られた、主たる情報信号であるビデオ信号と、その補助データであるサブピクチャ信号とは、ＤＡ変換器２２及び２３に別々に供給されて互いに独立してＤＡ変換された後、ビデオエンコーダ（ＥＮＣ）２５及び２６で別々に表示に適した映像信号形態に変換された後、外部機器であるモニタ２及び３に供給されて別々に画像表示される。
【００２９】
一方、オーディオデコーダ（ＤＥＣ）２０で復号して得られたオーディオ信号は、ＤＡ変換器２４に供給されてＤＡ変換されてアナログオーディオ信号に変換された後、外部機器であるアンプ４で増幅されてスピーカ５に供給され、ここで電気−音響変換されて音声として発音される。
【００３０】
ここで、ＤＶＤプレーヤ１本体に付属するＩＥＥＥ１３９４コントローラ７は、前記したように、モニタ２、モニタ３及びアンプ４と１３９４ケーブル６で接続されており、互いにコマンドを送受信できる構成とされている。特にＤＶＤプレーヤ１内のシステムコントローラ８は、ＩＥＥＥ１３９４コントローラ７経由でパワーコマンドを発行しており、モニタ２のモニタサブユニット、モニタ３のモニタサブユニットが通電されているかどうかを定期的に確認（監視）している。
【００３１】
今、モニタ２のモニタサブユニットは電源オン、モニタ３のモニタサブユニットも電源オンの状態から、モニタ３のリモコン操作で、モニタ３のモニタサブユニットが電源オフとされたものとする(主電源は入っているが、モニタ３の電源は落ちている状態)。
【００３２】
この場合、システムコントローラ８は、パワーコマンドに対するモニタ３の応答により、モニタ３の電源がオフになっていることを検知するはずであり、モニタ３の電源がオフになっていることを検知すると、直ちに電源ユニット１２を制御し、電源ユニット１２からサブピクチャデコーダ（ＤＥＣ）１９、ＤＡ変換器２３及びビデオエンコーダ（ＥＮＣ）２６への電源の供給を停止する。この電源供給停止状態は、システムコントローラ８がモニタ３のモニタサブユニットの電源がオンになったことを検知するまで継続される。
【００３３】
モニタ２のモニタサブユニットの電源がオフになったときには、上記と同様にして、電源ユニット１２からビデオデコーダ（ＤＥＣ）１８、ＤＡ変換器２２及びビデオエンコーダ（ＥＮＣ）２５への電源の供給が、システムコントローラ８がモニタ２のモニタサブユニットの電源がオンになったことを検知するまで継続される。また、アンプ４の電源がオフされたときには、上記と同様にして、電源ユニット１２からオーディオデコーダ（ＤＥＣ）２０及びＤＡ変換器２４への電源の供給が、システムコントローラ８がアンプ４の電源がオンになったことを検知するまで継続される。
【００３４】
このように、本実施の形態によれば、ＤＶＤプレーヤ１本体に付属するＩＥＥＥ１３９４コントローラ７と、モニタ２、モニタ３及びアンプ４との間で１３９４ケーブル６が接続されたままの状態であっても、システムコントローラ８により電源ユニット１２を制御して、電源がオフされたモニタ２、モニタ３又はアンプ４の入力側の所定の機器の電源供給を停止することができ、これにより消費電力を節約できる。
【００３５】
なお、上記の実施の形態では、電源の供給だけを停止するように説明したが、ビデオデコーダ（ＤＥＣ）１８、サプピクチャデコーダ（ＤＥＣ）１９、オーディオデコーダ（ＤＥＣ）２０、ＤＡ変換器２２、２３及び２４、ビデオエンコーダ（ＥＮＣ）２５及び２６に供給するクロックの供給を、上記の電源供給停止と同時に又は単独で停止するか、あるいはクロック周波数を下げるようにしてもよい。
【００３６】
また、マルチメディアプロセッサで前記のデコード処理及びＤＡ変換をソフトウェアで処理する場合には、電源供給停止するデコーダ処理やＤＡ変換のソフトウェア処理（演算処理）は不要となるため、プロセッサで処理する演算量が削減され、結果的に、消費電力につながるものと思われる。
【００３７】
また、上記の実施の形態ではＤＶＤプレーヤについて説明したが、本発明はこれに限定されるものではなく、その他の光ディスクや磁気テープ等から映像信号を再生する再生装置全般に広く適用できるものである。更に、外部に接続される機器はモニタ２及び３に限定されるものではなく、例えば他の記録再生装置その他にも接続可能である。
【図面の簡単な説明】
【００３８】
【図１】本発明の一実施の形態のブロック図である。
【図２】図１中のＭＰＥＧ２−ＰＳに含まれるビデオ・オブジェクトの構造の説明図である。
【図３】図２中のパックのフォーマットの一例を示す図である。
【符号の説明】
【００３９】
１  ＤＶＤプレーヤ
２、３  モニタ
４  アンプ
５  スピーカ
６  １３９４ケーブル
７  ＩＥＥＥ１３９４コントローラ
８  システムコントローラ
９  ＤＶＤフロントエンド
１２  電源ユニット
１３  デマルチプレクサ
１４  ＶＢＶバッファ
１５  サブピクチャバッファ
１６  オーディオバッファ
１７  ＮＶバッファ
１８  ビデオデコーダ（ＤＥＣ）
１９  サブピクチャデコーダ（ＤＥＣ）
２０  オーディオデコーダ（ＤＥＣ）
２１  ＮＶデコーダ（ＤＥＣ）
２２、２３、２４  ＤＡ変換器
２５、２６  ビデオエンコーダ（ＥＮＣ）
【図１】
2005259186.tif 000003
【図２】
2005259186.tif 000004
【図３】
2005259186.tif 000005